【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
識別情報が割り付けられたコンテンツデータと、第１の記憶デバイスを特定する情報および前記識別情報を含むリンク情報が含まれている読影レポートデータとを含むデータ群を取得する手段と、
取得された前記コンテンツデータを第２の記憶デバイスに書き込む書込手段と、
取得された前記読影レポートデータに含まれる前記リンク情報のうちの前記第１の記憶デバイスを特定する情報を前記第２の記憶デバイスを特定する情報に書き換える書換手段とを具備したことを特徴とする読影支援装置。
【請求項２】
前記書込手段は、前記コンテンツデータを書き込んだ前記第２の記憶デバイスを特定する情報と当該コンテンツデータに割り付けられた前記識別情報との対応を表す対応情報を作成し、
前記書換手段は、前記対応情報に基づいて書き換えることを特徴とする請求項１に記載の読影支援装置。
【請求項３】
前記書換手段によって書き換えられた後の前記リンク情報に基づいてコンテンツデータを提示する手段をさらに備えることを特徴とする請求項１または請求項２に記載の読影支援装置。
【請求項４】
第１および第２の読影支援装置を含んだ読影支援システムにおいて、
前記第１の読影支援装置は、第１の記憶デバイスに記憶されかつ識別情報が割り付けられたコンテンツデータと、前記第１の記憶デバイスを特定する情報および前記識別情報を含んだリンク情報を含む読影レポートデータとを含むデータ群を出力する出力手段を備え、
前記第２の読影支援装置は、
前記データ群を取得する手段と、
取得された前記コンテンツデータを第２の記憶デバイスに書き込む書込手段と、
取得された前記読影レポートデータに含まれる前記リンク情報のうちの前記第１の記憶デバイスを特定する情報を前記第２の記憶デバイスを特定する情報に書き換える書換手段とを具備することを特徴とする読影支援システム。
【請求項５】
前記第１の読影支援装置は、
出力するべきコンテンツデータの制限量の指定を入力する入力手段をさらに備え、
前記出力手段は、前記読影レポートデータに含まれる前記リンク情報により特定される前記コンテンツデータを前記制限量の範囲で前記データ群に含めることを特徴とする請求項４に記載の読影支援システム。
【請求項６】
前記入力手段は、リンク階層の数として前記制限量を入力することを特徴とする請求項５に記載の読影支援システム。
【請求項７】
前記出力手段は、可搬型の記録メディアに書き込むことにより前記データ群を出力し、
前記取得手段は、前記記録メディアから読み込むことにより前記データ群を取得することを特徴とする請求項４に記載の読影支援システム。
【請求項８】
前記出力手段は、通信回線へ送出することにより前記データ群を出力し、
前記取得手段は、前記通信回線を介して受信することにより前記データ群を取得することを特徴とする請求項４に記載の読影支援システム。
【請求項９】
読影レポートデータを第１の読影支援装置から第２の読影支援装置へと授受する読影レポートデータ授受方法において、
前記第１の読影支援装置は、第１の記憶デバイスに記憶されかつ識別情報が割り付けられたコンテンツデータと、前記第１の記憶デバイスを特定する情報および前記識別情報を含んだリンク情報を含む前記読影レポートデータとを含むデータ群を出力し、
前記第２の読影支援装置は、
前記データ群を取得し、
取得された前記コンテンツデータを第２の記憶デバイスに書き込み、
取得された前記レポートデータに含まれる前記リンク情報のうちの前記第１の記憶デバイスを特定する情報を前記第２の記憶デバイスを特定する情報に書き換えることを特徴とする読影レポートデータ授受方法。
【請求項１０】
コンピュータを、
識別情報が割り付けられたコンテンツデータと、第１の記憶デバイスを特定する情報および前記識別情報を含むリンク情報が含まれている読影レポートデータとを含むデータ群を取得する手段と、
取得された前記コンテンツデータを第２の記憶デバイスに書き込む書込手段と、
取得された前記レポートデータに含まれる前記リンク情報のうちの前記第１の記憶デバイスを特定する情報を前記第２の記憶デバイスを特定する情報に書き換える書換手段として機能させることを特徴とする読影支援プログラム。
【請求項１１】
前記書込手段は、前記コンテンツデータを書き込んだ前記第２の記憶デバイスを特定する情報と当該コンテンツデータに割り付けられた前記識別情報との対応を表す対応情報を作成し、
前記書換手段は、前記対応情報に基づいて書き換えることを特徴とする請求項１０に記載の読影支援プログラム。
【請求項１２】
前記コンピュータを、前記書換手段によって書き換えられた後の前記リンク情報に基づいてコンテンツデータを提示する手段としてさらに機能させることを特徴とする請求項１０または請求項１１に記載の読影支援プログラム。
【請求項１３】
記憶デバイスに記憶されたコンテンツデータを特定するためのリンク情報が含まれる読影レポートデータを指定するための入力手段と、
前記指定された読影レポートデータを読み出すと共に、当該読影レポートデータに含まれるリンク情報に基づいてコンテンツデータを前記記憶デバイスから読み出す読み出し手段と、
前記読み出し手段により読み出した前記読影レポートデータとコンテンツデータとを出力する出力手段とを具備したことを特徴とする読影支援装置。
【請求項１４】
前記出力手段は、前記読み出し手段により読み出した前記読影レポートデータとコンテンツデータとを可搬型の記録メディアに書き込むことを特徴とする請求項１３記載の読影支援装置。
【請求項１５】
前記出力手段は、前記読み出し手段により読み出した前記読影レポートデータとコンテンツデータとをネットワークに出力するものであることを特徴とする請求項１３記載の読影支援装置。
【請求項１６】
前記入力手段は、前記出力手段により出力するデータの制限量を指定入力することを可能とし、
前記出力手段は、前記制限量に基づいてデータを出力するものであることを特徴とする請求項１３記載の読影支援装置。
【請求項１７】
前記制限量は、リンク階層の数であることを特徴とする請求項１６記載の読影支援装置。
【請求項１８】
前記コンテンツデータは、画像データであることを特徴とする請求項１３記載の読影支援装置。
【請求項１９】
前記コンテンツデータを特定するためのリンク情報には、当該コンテンツデータに割り付けられた識別情報及び当該コンテンツデータが記憶されている記憶デバイスを特定する情報が含まれていることを特徴とする請求項１３記載の読影支援装置。
【請求項２０】
コンピュータを、
記憶デバイスに記憶されたコンテンツデータを特定するためのリンク情報が含まれる読影レポートデータを指定するための入力手段と、
前記指定された読影レポートデータを読み出すと共に、当該読影レポートデータに含まれるリンク情報に基づいてコンテンツデータを前記記憶デバイスから読み出す読み出し手段と、
前記読み出し手段により読み出した前記読影レポートデータとコンテンツデータとを出力する出力手段として機能させることを特徴とする読影支援プログラム。
【手続補正２】
【補正対象書類名】明細書
【補正対象項目名】００１２
【補正方法】変更
【補正の内容】
【００１２】
本発明の第１の態様による読影支援装置は、識別情報が割り付けられたコンテンツデータと、第１の記憶デバイスを特定する情報および前記識別情報を含むリンク情報が含まれている読影レポートデータとを含むデータ群を取得する手段と、取得された前記コンテンツデータを第２の記憶デバイスに書き込む書込手段と、取得された前記レポートデータに含まれる前記リンク情報のうちの前記第１の記憶デバイスを特定する情報を前記第２の記憶デバイスを特定する情報に書き換える書換手段とを備える。
【手続補正３】
【補正対象書類名】明細書
【補正対象項目名】００１３
【補正方法】変更
【補正の内容】
【００１３】
本発明の第２の態様による読影支援システムは、第１および第２の読影支援装置を含んだ読影支援システムにおいて、前記第１の読影支援装置には、第１の記憶デバイスに記憶されかつ識別情報が割り付けられたコンテンツデータと、前記第１の記憶デバイスを特定する情報および前記識別情報を含んだリンク情報を含む読影レポートデータとを含むデータ群を出力する出力手段を備え、前記第２の読影支援装置には、前記データ群を取得する手段と、取得された前記コンテンツデータを第２の記憶デバイスに書き込む書込手段と、取得された前記レポートデータに含まれる前記リンク情報のうちの前記第１の記憶デバイスを特定する情報を前記第２の記憶デバイスを特定する情報に書き換える書換手段とを備える。
【手続補正４】
【補正対象書類名】明細書
【補正対象項目名】００１４
【補正方法】変更
【補正の内容】
【００１４】
本発明の第３の態様による読影レポートデータ授受方法は、読影レポートデータを第１の読影支援装置から第２の読影支援装置へと授受する読影レポートデータ授受方法において、前記第１の読影支援装置は、第１の記憶デバイスに記憶されかつ識別情報が割り付けられたコンテンツデータと、前記第１の記憶デバイスを特定する情報および前記識別情報を含んだリンク情報を含む前記読影レポートデータとを含むデータ群を出力し、前記第２の読影支援装置は、前記データ群を取得し、取得された前記コンテンツデータを第２の記憶デバイスに書き込み、取得された前記レポートデータに含まれる前記リンク情報のうちの前記第１の記憶デバイスを特定する情報を前記第２の記憶デバイスを特定する情報に書き換える。
【手続補正５】
【補正対象書類名】明細書
【補正対象項目名】００１５
【補正方法】変更
【補正の内容】
【００１５】
本発明の第４の態様による読影支援プログラムは、コンピュータを、識別情報が割り付けられたコンテンツデータと、第１の記憶デバイスを特定する情報および前記識別情報を含むリンク情報が含まれている読影レポートデータを含むデータ群とを取得する手段と、取得された前記コンテンツデータを第２の記憶デバイスに書き込む書込手段と、取得された前記レポートデータに含まれる前記リンク情報のうちの前記第１の記憶デバイスを特定する情報を前記第２の記憶デバイスを特定する情報に書き換える書換手段として機能させるように読影支援プログラムを構成した。
本発明の第５の態様による読影支援装置は、記憶デバイスに記憶されたコンテンツデータを特定するためのリンク情報が含まれる読影レポートデータを指定するための入力手段と、前記指定された読影レポートデータを読み出すと共に、当該読影レポートデータに含まれるリンク情報に基づいてコンテンツデータを前記記憶デバイスから読み出す読み出し手段と、前記読み出し手段により読み出した前記読影レポートデータとコンテンツデータとを出力する出力手段とを備える。
本発明の第６の態様による読影支援プログラムは、コンピュータを、記憶デバイスに記憶されたコンテンツデータを特定するためのリンク情報が含まれる読影レポートデータを指定するための入力手段と、前記指定された読影レポートデータを読み出すと共に、当該読影レポートデータに含まれるリンク情報に基づいてコンテンツデータを前記記憶デバイスから読み出す読み出し手段と、前記読み出し手段により読み出した前記読影レポートデータとコンテンツデータとを出力する出力手段として機能させる。